(57)【要約】 【課題】被介助者自身が移乗動作を安全に且つ容易に行うことができる形（体勢）への自立支援、及び介助する者（介助者）の介護負担を軽減させる支援ができるトイレ用移乗補助具を提供する。【解決手段】便器１０の前方の床面１３に設置されるベース板２上に、間隔を開けて複数の支柱（４０、４１、４２）が立設され、支柱（４０、４１、４２）を複数の横桟５…で連結して枠体３が構成されている。枠体３へ、被介助者８が移乗する際に該被介助者８が膝８０を当てる膝当て部６が取り付けられている。【選択図】図１
2016022155.tif 000002
【特許請求の範囲】
【請求項１】
着座姿勢にある立ち座りのできない高齢者や障害者、障害児その他の介助を受けて移乗する者を含む被介助者の乗り移り動作を自立支援し、あるいは介助者の介助負担の軽減を支援するトイレ用移乗補助具であって、
便器前方の床面に設置されるベース板上に、間隔を開けて複数の支柱が立設され、前記支柱を複数の横桟で連結して枠体が構成されており、
前記枠体へ、被介助者が移乗する際に該被介助者が膝を当てる膝当て部が取り付けられていることを特徴とする、トイレ用移乗補助具。
【請求項２】
前記膝当て部は、被介助者が膝を当てる面を便器側方のトイレ壁面からトイレ内方へ向かって傾斜させて、前記枠体に取り付けられていることを特徴とする、請求項１に記載したトイレ用移乗補助具。
【請求項３】
前記膝当て部は、被介助者が膝を当てる面を便器側方のトイレ壁面と略平行に位置させて前記枠体へ取り付けられていることを特徴とする、請求項１に記載したトイレ用移乗補助具。
【請求項４】
前記枠体には、被介助者用の前記膝当て部の反対側である、介助者の膝が当たる位置にも膝当て部が取り付けられていることを特徴とする、請求項１〜３のいずれか一に記載したトイレ用移乗補助具。
【請求項５】
前記膝当て部は、膝が当たる表層部と、該表層部を保持して前記枠体に取り付けられる剛性部とで構成されており、
前記表層部は、膝が当たると凹む厚みを有する弾性材で構成されていることを特徴とする、請求項１〜４のいずれか一に記載したトイレ用移乗補助具。
【請求項６】
前記膝当て部は、支柱に対して上下方向の高さ調節が可能に取り付けられていることを特徴とする、請求項１〜５のいずれか一に記載したトイレ用移乗補助具。
【発明の詳細な説明】
【技術分野】
【０００１】
この発明は、着座姿勢にある、立ち座りのできない高齢者や障害者、障害児その他の介助を受けて乗り移る（以下、移乗という。）者を含む被介助者の移乗動作を支援するトイレ用移乗補助具の技術分野に属し、更に言えば、被介助者自身が移乗動作を安全に且つ容易に行うことができる形（体勢）への自立支援、及び介助する者（介助者）の介護負担を軽減させる支援ができるトイレ用移乗補助具に関する。
【背景技術】
【０００２】
一般に、車椅子を使用している高齢者や身体障害者等が、車椅子を使用してトイレの中へ入り、車椅子に着座した状態から便座へ移乗し、用済み後に便座に着座した状態から再び車椅子へ移乗する動作を自立して行うことは困難である。そのため、介助者が被介助者の体を持ち上げて支えるなどして移乗動作を補助する必要があり、介助者にとって負担が非常に大きいものであった。
【０００３】
例えば下記特許文献１には、着座姿勢にある被介助者の移乗動作を支援する移乗支援機が開示されている。この移乗支援機は、被介助者を乗せるベース部の上面に支柱が立設され、該支柱に取り付けた取り付け基部を介して膝当て部が取り付けられ、支柱の上端には支柱及び取り付け基部に支持される肘当て部が設けられ、肘当て部の前方側に把持アーム部が設けられた構成である。
被介助者は、両手で把持アーム部を把持して上体で肘当て部に肘を乗せ、両足はベース部に乗せて膝当て部に膝を当接させる。そして、両手で把持アーム部を把持したまま、肘当て部に上体の体重を傾けながら前傾姿勢の状態で移乗支援機に乗る。介助者は、被介助者が移乗支援機に乗った状態で、移乗支援機を移乗先まで移動させる。
【０００４】
また、下記特許文献２は、被介助者の立ち上がり支援する立ち上がり動作補助具が開示されている。この立ち上がり動作補助具は、ほぼ平行に相対峙する一対の支柱間の上下方向に複数本の横桟が連結され、支柱の下端はベース板にほぼ垂直に支持された構成である。
【先行技術文献】
【特許文献】
【０００５】
【特許文献１】特開２０１１−１０７０３号公報
【特許文献２】実用新案登録第３１２７５４２号公報
【発明の概要】
【発明が解決しようとする課題】
【０００６】
上記特許文献１に開示された発明は、被介助者の移乗動作を補助する構成ではあるが、車椅子に着座している被介助者を一旦移乗支援機に乗せ、介助者が移乗支援機を目的の移乗先であるトイレまで移動させた後に被介助者を便器に移乗させる構成なので、非常に手間がかかり、被介助者及び介助者の双方にとって負担が大きい。
【０００７】
また、上記特許文献２は、被介助者が両手で横桟を掴んで着座姿勢の状態からの立ち上がりを補助する構成であり、被介助者の体（体勢）を安定させて移乗動作を支援する構成ではないので、立ち上がる際の勢いで前方へ転倒する虞があり、安全性に問題がある。
そのため移乗への使用には、いまだ改良の余地が残っている。しかも移乗補助具としてはリハビリ的な要素（作用、効果）も重要であるから、被介助者の移乗に際して自立移乗の実現をも考慮した補助具であることが望ましい。
【０００８】
そこで、本発明の目的は、被介助者が車椅子を使用したままトイレの中へ入り、車椅子に着座した状態から便座へ移乗し、用済み後は便座に着座した状態から車椅子へ移乗する動作を、被介助者自身の力及び努力で安全に且つ容易に自立移乗を行えるように自立の支援をする作用、効果をも奏するトイレ用移乗補助具を提供することである。
【課題を解決するための手段】
【０００９】
上記従来技術の課題を解決するための手段として、請求項１に記載した発明に係るトイレ用移乗補助具は、
着座姿勢にある立ち座りのできない高齢者や障害者、障害児その他の介助を受けて移乗する者を含む被介助者８の乗り移り動作を自立支援し、あるいは介助者の介助負担の軽減を支援するトイレ用移乗補助具であって、
便器前方の床面１３に設置されるベース板２上に、間隔を開けて複数の支柱（４０、４１、４２）が立設され、前記支柱（４０、４１、４２）を複数の横桟５…で連結して枠体３が構成されており、
前記枠体３へ、被介助者８が移乗する際に該被介助者８が膝８０を当てる膝当て部６が取り付けられていることを特徴とする。
【００１０】
請求項２に記載した発明は、請求項１に記載したトイレ用移乗補助具において、
前記膝当て部６は、被介助者８が膝８０を当てる面を便器側方のトイレ壁面１４からトイレ内方へ向かって傾斜させて、前記枠体３に取り付けられていることを特徴とする。
【００１１】
請求項３に記載した発明は、請求項１に記載したトイレ用移乗補助具において、
前記膝当て部６は、被介助者８が膝８０を当てる面を便器１０側方のトイレ壁面１４と略平行に位置させて前記枠体３へ取り付けられていることを特徴とする。
【００１２】
請求項４に記載した発明は、請求項１〜３のいずれか一に記載したトイレ用移乗補助具において、
前記枠体３には、被介助者用の前記膝当て部６の反対側である、介助者の膝が当たる位置にも膝当て部６’が取り付けられていることを特徴とする。
【００１３】
請求項５に記載した発明は、請求項１〜４のいずれか一に記載したトイレ用移乗補助具において、
前記膝当て部６、６’は、膝８０が当たる表層部６０と、該表層部６０を保持して前記枠体３に取り付けられる剛性部６１とで構成されており、
前記表層部６０は、膝８０が当たると凹む厚みを有する弾性材で構成されていることを特徴とする。
【００１４】
請求項６に記載した発明は、請求項１〜５のいずれか一に記載したトイレ用移乗補助具において、
前記膝当て部６は、支柱４０、４１に対して上下方向の高さ調節が可能に取り付けられていることを特徴とする。
【発明の効果】
【００１５】
本発明に係るトイレ用移乗補助具は、着座姿勢にある被介助者８が移乗する際に、該被介助者８が膝８０を当てる膝当て部６を備えるので、被介助者８は膝当て部６に当てがった膝８０を支点として臀部をゆっくりと便器１０の便座１１へ旋回させて容易に移乗することができる。よって、被介助者８の自立を促し、介助者の介護負担を軽減することができる。また、被介助者８の体は、膝当て部６によって前方へ転倒しないように支持されているので、被介助者８が転倒して怪我をする事故を未然に防止することができ、安全性が高い。その上、従来は介助者が移乗動作のほとんどを介助することで行われていた移乗動作を、被介助者自身の意識と努力で安定した移乗を実現可能であるため、介助者は、引いたり、押したりする比較的小さな介助補助で移乗できるから、介助者の負担は大幅に軽減できる。
また、介助者自身も、介助時には備え付けの膝当て部６’へ膝を当てて介助作業をできるから、腰への負担が少ない介助を実施できる。
【図面の簡単な説明】
【００１６】
【図１】実施例１のトイレ用移乗補助具をトイレ内に設置した状態を示した斜視図である。
【図２】実施例１のトイレ用移乗補助具の側面図である。
【図３】（Ａ）〜（Ｃ）は、実施例１のトイレ用移乗補助具を使用して移乗する手順を示した説明図である。
【図４】実施例２のトイレ用移乗補助具をトイレ内に設置した状態を示した斜視図である。
【図５】実施例２のトイレ用移乗補助具の側面図である。
【図６】実施例２のトイレ用移乗補助具とトイレの中に入った被介助者との位置関係を示した平面図である。
【図７】（Ａ）〜（Ｃ）は、実施例２のトイレ用移乗補助具を使用して移乗する手順を示した説明図である。
【発明を実施するための形態】
【００１７】
本発明に係るトイレ用移乗補助具１は、便器１０の前方の床面１３に設置されるベース板２上に、間隔を開けて複数の支柱（４０、４１、４２）が立設され、前記支柱（４０、４１、４２）が複数の横桟５…で連結された枠体３が構成されており、該枠体３へ被介助者８が移乗する際に同被介助者８が膝８０を当てる膝当て部６が取り付けられている。
【実施例１】
【００１８】
以下に、本発明に係るトイレ用移乗補助具を図示した実施例に基づいて説明する。
図１〜図３に示した実施例１のトイレ用移乗補助具１は、洋式の便器１０の側方にトイレの扉がある場合に、好適に適用されるものであり、便器１０の側方のトイレ壁面１４（図示例では便器１０を正面に見た場合に左側の壁面）に沿って設置され、車椅子９を使用した被介助者８が、車椅子９を使用したままでトイレの中に入り、車椅子９の座面に着座した状態から便器１０の便座１１へ移乗し、用済み後は便器１０の便座１１に着座した状態から車椅子９の座面へ移乗する動作を自立して行うことを支援する補助具である。
【００１９】
前記トイレ用移乗補助具１は、図１及び図２に示したように、便器１０の前方の床面１３に設置されるベース板２上に、間隔をあけて３本の支柱（４０、４１、４２）が立設され、隣接する支柱同士（４０と４１、４１と４２）の上端部及び中間部を横桟５で連結して枠体３が構成されている。そして、前記枠体３へ、被介助者８が移乗する際に該被介助者８が膝８０を当てる膝当て部６が、膝８０を当てる面を便器側方のトイレ壁面１４からトイレ内方へ向かって傾斜させて取り付けられている。
【００２０】
前記ベース板２は、一例として縦幅が８００ｍｍ程度、横幅が８００ｍｍ程度に形成されている。図示例の場合は、一側縁に便器１０の基部１０ａに嵌め合わせるＵ字形の切り欠き２０が形成されている。前記ベース板２の上面には、前記の各支柱（４０、４１、４２）を支持する管状の受部２１…が、垂直に固定されている。
【００２１】
上記支柱（４０、４１、４２）は、一例として高さが７７０ｍｍ程度を有し、便器１０の側方の壁面１４に沿って例えば５３０ｍｍ程度の間隔を開けてほぼ平行に立設された一対の支柱４０、４１と、前記１対の支柱４０、４１のうち便器１０から離れた位置にある支柱４０からトイレ内方へ向かって略直角に２００ｍｍ程度離れた位置において、前記支柱４０、４１とほぼ平行に立設された補助支柱４２とが、平面的に見て略Ｌ字状に配置されている。前記１対の支柱（４０、４１）の下端、及び補助支柱４２を支持する継手４２ａの下端は、前記ベース部２に設けられた受部２１内に挿入されビス留め２１ａにより前記ベース部２上に固定されている。
前記横桟５…は、前記支柱（４０、４１、４２）に接着固定した継手３２によって同支柱（４０、４１、４２）に連結されている。
前記一対の支柱４０、４１の間には、上下の横桟５、５へ、継手３２で連結された縦材４４が設けられている。
【００２２】
前記支柱（４０、４１、４２）、横桟５及び縦材４４は、薄肉鋼管の外周面に接着剤を塗布し、その上にＡＡＳ樹脂等を薄く均一な層に被覆した、外径がφ３２ｍｍ程度の樹脂被覆鋼管が好適である。実施例では、円管のパイプを使用した構成を示したが、円管のパイプ以外のパイプとして例えば角管等を使用した構成で実施することもできる。
なお、前記支柱（４０、４１、４２）と横桟５とで構成された枠体３の大きさは、被介助者８の身長や体格、そして、使用態様に応じてその大きさを適宜に設計し製作される。
【００２３】
前記補助支柱４２の上部と縦材４４の上部とが、継手３２を介して横材で連結されて被介助者８が移乗動作を行う際の手摺り７として構成されている。また、前記補助支柱４２と縦材４４間に跨がる形に前記膝当て部６が取り付けられ、その上下方向の中間には、横桟５が継手３２によって連結されており、前記膝当て部６を裏面側から支持している。
【００２４】
前記膝当て部６は、一例として縦幅が２００ｍｍ、横幅が４７０ｍｍ程度の大きさを成す長方形状で形成されている。前記膝当て部６は、被介助者８が膝８０を接触させる表層部６０と、前記表層部６０の裏面側から該表層部６０を保持して前記枠材３に取り付けられる剛性部６１とで構成されている。
【００２５】
前記表層部６０は、クッション性を有する低反発ウレタン等の弾性部材で成り、被介助者８が車椅子９の座面から立ち上がって、被介助者８の膝８０を押しつけた際に凹んで被介助者８の膝元をしっかりとホールドして膝８０を安定させ、当接による被介助者８の体への負担を和らげる厚さ（例えば６０ｍｍ程度）に形成されている。
前記剛性部６１は、例えＡＢＳ樹脂等の板材で成り、被介助者８が前記表層部６０へ膝８０を押しつけても軽々には撓まないような厚みで剛性が確保された板材とし、裏面側から横桟５でしっかりと支持されている。             
【００２６】
前記膝当て部６は、剛性部６１の左側縁部を前記補助支柱４２に締結部材４５で取り付け、同剛性部６１の右側縁部を前記縦材４４に締結部材４５で取り付けることにより、表層部６０を便器１０側方のトイレ壁面１４からトイレ内方へ向かって例えば３０度〜４５度程度傾斜させて、前記枠体３に取り付けられている。これは往復する移乗であることを考えると、行きと戻りとで被介助者８に対して同じ角度が保たれるように考慮した結果の角度である。前記膝当て部６は、前記締結部材４５、４５の締結状態を緩めることで、支柱（４０、４１、４２）に対して上下移動が可能となり、被介助者８の体格の大きさに応じて、該被介助者８が使用し易い位置に高さを適宜調節して使用することができる。
【００２７】
前記枠体の被介助者用の前記膝当て部６の反対側の面上であって前記膝当て部６の裏側位置に、図１及び図２に示したように、介助者が膝を当てる介助者用の膝当て部６’が前記補助支柱４２及び前記縦材４４へ締結部材４５によって取り付けられており、介助者が被介助者８の体を支えて補助する際に前記膝当て部６’へ膝を当てることで体乃至体勢が安定し、同介助者の腰の負担を軽減させることができる。
なお、詳細に図示することは省略したが、前記介助者用の膝当て部６’の異なる実施形態として、前記被介助者用の膝当て部６の剛性部６１の裏面側に表層部を設けた構成で実施することもできる。
また、前記介助者の膝当て部６’を設けることなく、前記被介助者用の膝当て部６のみを枠体３に設けた構成で実施することもできる。
【００２８】
次に、実施例１に係るトイレ用移乗補助具の使用例を図３（Ａ）〜（Ｃ）に基づいて説明する。
先ず、車椅子９の座面に着座した状態から便座１１へ移乗する場合には、図３（Ａ）に示したように、車椅子９を使用した被介助者８が便器１０の側方にある扉を開けてトイレの中に入り車椅子９を止める。前記車椅子９にアームサポート９ａがある場合は、便器１０側に位置するアームサポート９ａを外す。
次に、図３（Ｂ）に示したように、被介助者８は手摺り部７を掴み、前記膝当て部６に左膝８０ａを当てて、中腰の姿勢で車椅子９から立ち上がる。このとき、前記膝当て部６によって被介助者８の膝８０がしっかりと支持されているので、膝折れによる前方転倒を防止することができる。次に、前記膝当て部６へ当接した左膝８０ａを支点として臀部を少しずつゆっくりと便器１０に向かって旋回させ、前記膝当て部６へ両膝８０を当接させる。
次に、図３（Ｃ）に示したように、左膝８０ａを膝当て部６から離し、右膝８０ｂを支点として臀部を少しずつゆっくりと便器１０に向かって旋回させ、便器１０へ移乗する。
なお、被介助者８の四肢の筋力が弱く、自ら臀部を車椅子９から便器１０に向かって旋回できない場合には、介助者が被介助者８の腸骨や臀部を側面からゆっくり押して旋回を補助し、或いは被介助者８に腰ベルトを装着させて、介助者が腰ベルトを引っ張ることで便器１０への移乗を補助してもよい。
【００２９】
用済み後において、前記便座１１に着座した状態から車椅子９の座面へ着座する場合には、被介助者８が手摺り部７を掴んだ状態で、前記膝当て部６に右膝８０ｂを当てて、中腰の姿勢で便器１０から立ち上がる。次に、前記膝当て部６へ当接した右膝８０ｂを支点として臀部を少しずつゆっくりと車椅子９に向かって旋回させ、前記膝当て部６へ両膝８０を当接させる。次に、右膝８０ｂを膝当て部６から離して、左膝８０ａを支点として臀部をゆっくり少しずつ車椅子９に向かって旋回させ、同車椅子９の座面へ移乗する。
【００３０】
したがって、実施例１のトイレ移乗用補助具１は、着座姿勢にある被介助者８が移乗する際に、被介助者８は膝当て部６に当てがった膝８０を支点として臀部をゆっくりと便器１０の便座１１へ旋回させて容易に移乗することができ、被介助者８の自立を促し、介助者の介護負担を軽減することができる。また、被介助者８の体は、膝当て部６によって前方を転倒しないように支持されているので、被介助者８が転倒して怪我をする事故を未然に防止することができ、安全性が高い。
【実施例２】
【００３１】
次に、実施例２のトイレ用移乗補助具１’を、図４〜図７に基づいて説明する。なお、上記実施例１と共通する構成要素は、同一の符号を付してその説明を適宜省略する。
実施例２のトイレ用移乗補助具１’は、洋式の便器１０の正面にトイレの扉がある場合に好適に適用されるものであり、トイレの中に入った着座姿勢にある被介助者８の移乗を補助するものである。なお、符号１２は、壁面１４に固定されたＬ字形の手摺りを示している。
【００３２】
上記トイレ用移乗補助具１’は、図４及び図５に示したように、便器１０の前方の床面１３に設置されるベース板２上に、間隔を開けて１対の支柱４０、４１が略平行に立設され、前記支柱４０、４１の上端部及び中間部を横桟５、５で連結して枠体３’が構成されている。そして、前記枠体３’の前面に、被介助者８が移乗する際に、該被介助者８の膝８０を当てる膝当て部６が、同膝８０を当てる面を便器１０側方のトイレ壁面１４と略平行に位置させて取り付けられている。
【００３３】
前記支柱４０、４１は、一例として高さが７７０ｍｍ程度を有し、便器１１側方の壁面１４に沿って例えば５３０ｍｍ程度の間隔をあけて設置されている。前記各支柱４０、４１の下端部は、ベース部２上に設けられた受部２１内に挿入されビス留め２１ａされて、前記ベース部２上に固定されている。前記横桟５は、前記支柱４０、４１に接着固定した継手３２によって同支柱４０、４１に連結されている。前記１対の支柱４０、４１の間には、前記便器１０側にある支柱４０寄りの位置に、上下の横桟５、５に継手３２で連結された縦材４４が設けられている。
【００３４】
前記各支柱４０、４１の上端部には、壁面１４側に向かって伸びる支持部材４３の一端が、横桟５の端部と共に継手３２によって連結されている。前記支持部材４３の他端部は、便器１１の側方の壁面１４にねじ留め等の固定手段によって固定されており、トイレ用移乗補助具１が使用中に不用意にずれ動いたりしない構成とされている。
【００３５】
前記膝当て部６は、剛性部６１の一方の側縁部を前記支柱４１へ締結部材４５で取り付け、前記剛性部６１の他方の側縁部を前記縦材４４へ締結部材４５で取り付けて、前記枠材３’の前面に取り付けられている。前記膝当て部６は、前記締結部材４５、４５の締結状態を緩めることで、支柱４０、４１に対して上下移動が可能となり、被介助者８の体の大きさに応じて、該被介助者８が使用し易い位置に高さを適宜調節して使用することができる。
【００３６】
次に、実施例２に係るトイレ用移乗補助具１’の使用例を図６及び図７（Ａ）〜（Ｃ）に基づいて説明する。
先ず、車椅子９の座面に着座した状態から便座１１へ移乗する場合には、図６に示すように、車椅子９を使用した被介助者８が扉を開けてトイレの中に入り、同車椅子９を膝当て部６の表層面６０に対して例えば３０〜４５度程度に傾けた状態で止める。そして、図７（Ａ）に示したように、被介助者８はＬ字形の手摺り１２を掴み、前記膝当て部６に左膝８０ａを当てて、中腰の姿勢で車椅子９から立ち上がる。このとき、前記膝当て部６によって被介助者８の左膝８０ａがしっかりと支持されているので、膝折れによる前方転倒を防止することができる。
次に、図７（Ｂ）に示したように、前記膝当て部６へ当接させた左膝８０ａを支点として臀部を少しずつゆっくりと便器１０に向かって旋回させ、前記膝当て部６へ両膝８０を当接させる。なお、トイレ用移乗補助具１を設けた反対側の便器１０側方に、同便器１０とほぼ同じ高さの補助台１５を設置することで、車椅子９から離れた臀部を前記補助台１５に乗せてから便器１０に移乗させることができるので、安心して移乗を行うことができる。
次に、図７（Ｃ）に示したように、左膝８０ａを膝当て部６から離して、今度は右膝８０ｂを支点として臀部を少しずつゆっくりと便器１０へ向かって旋回させて、便器１０へ移乗する。
なお、被介助者８の四肢の筋力が弱く、自ら臀部を車椅子９から便器１０に向かって上手に旋回できない場合には、介助者が被介助者８の腸骨や臀部を側面からゆっくり押して旋回を補助し、或いは被介助者８に腰ベルトを装着させて、介助者が腰ベルトを引っ張ることで便器１０への移乗動作を補助してもよい。この場合、介助者は被介助者８に少しの力を加えるだけで十分なので、介助者の負担はほとんどない。
【００３７】
用済み後に、被介助者８が前記便座１１へ着座した状態から車椅子９の座面へ着座する場合には、被介助者８がＬ字形の手摺り１２を掴んだ状態で、前記膝当て部６に右膝８０ｂを当てて、中腰の姿勢で便器１０から立ち上がる。次に、前記膝当て部６へ当接させた右膝８０ｂを支点として臀部を少しずつゆっくりと車椅子９に向かって旋回させ、前記膝当て部６へ両膝８０を当接させる。次に、右膝８０ｂを膝当て部６から離して、今度は左膝８０ａを支点として臀部を少しずつゆっくりと車椅子９へ向かって旋回させ、同車椅子９の座面へ移乗する。
【００３８】
したがって、実施例２のトイレ移乗用補助具１’も、着座姿勢にある被介助者８が移乗する際に、被介助者８は膝当て部６に当てがった膝８０を支点として臀部をゆっくりと便器１０の便座１１へ旋回させて容易に移乗することができる。よって、被介助者８の自立を促し、介助者の介護負担を軽減することができる。また、被介助者８の体は、膝当て部６によって前方を転倒しないように支持されているので、被介助者８が転倒して怪我をする事故を未然に防止することができ、安全性が高い。
【００３９】
以上に本発明を図示した実施例に基づいて説明したが、本発明は上記実施例に限定されるものではない。本発明の要旨、及び技術思想を逸脱しない範囲で、当業者が必要に応じて行う設計変更や応用、変形として種々な態様で実施できることを、ここに念のため申し添える。
【符号の説明】
【００４０】
１、１’    トイレ用移乗補助具
１０        便器
１１        便座
２          ベース板
３、３’    枠体
４０        支柱
４１        支柱
４２        支柱
５          横桟
６、６’    膝当て部
６０        表層部
６１        剛性部
８          被介助者
【図１】
2016022155.tif 000003
【図２】
2016022155.tif 000004
【図３】
2016022155.tif 000005
【図４】
2016022155.tif 000006
【図５】
2016022155.tif 000007
【図６】
2016022155.tif 000008
【図７】
2016022155.tif 000009